(57)【特許請求の範囲】
【請求項１】
外郭を形成する筐体と、この筐体内に設けられ投入された厨芥を分解処理する分解媒体を収容する処理槽と、この処理槽内に収容された前記厨芥および分解媒体を撹拌混合する撹拌手段と、前記処理槽内の収容物を加熱する加熱手段と、前記処理槽内の収容物の温度を検出する温度検出手段と、前記処理槽内に連通して設けられた排気手段と、前記処理槽内の収容物の水分率を検出する水分率検出手段と、これら撹拌手段，加熱手段，排気手段および水分率検出手段を制御する制御手段とを備え、
電源投入直後において、前記処理槽内の収容物の温度を前記分解媒体の活性化に適した温度となるように、前記制御手段により予め設定された所定の動作制御を行ない、その後に前記水分率検出手段による検出動作を行うようにしたことを特徴とする厨芥処理機。
【請求項２】
外郭を形成する筐体と、この筐体内に設けられ投入された厨芥を分解処理する分解媒体を収容する処理槽と、この処理槽に形成された厨芥投入口に開閉可能に設けられた蓋と、前記筐体内に前記厨芥投入口と連通してこの処理槽内に収容された前記厨芥および分解媒体を撹拌混合する撹拌手段と、前記処理槽内の収容物を加熱する加熱手段と、前記処理槽内の収容物の温度を検出する温度検出手段と、前記処理槽内に連通して設けられた排気手段と、前記処理槽内の収容物の水分率を検出する水分率検出手段と、これら撹拌手段，加熱手段，排気手段および水分率検出手段を制御する制御手段とを備え、
前記蓋の開閉直後において、前記処理槽内の収容物の温度を前記分解媒体の活性化に適した温度となるように、前記制御手段により予め設定された所定の動作制御を行ない、その後に前記水分率検出手段による検出動作を行うようにしたことを特徴とする厨芥処理機。
【請求項３】
制御手段により予め設定された所定の動作制御は、所定時間撹拌手段と排気手段および加熱手段を制御することを特徴とする請求項１または２記載の厨芥処理機。
【請求項４】
加熱手段および温度検出手段は、処理槽内の収容物を加熱する第１の加熱手段およびその温度を検出する第１の温度検出手段と、前記処理槽の壁面に取り付けられ水分率検出手段を構成する第２の加熱手段および第２の温度検出手段を具備し、
制御手段により予め設定された所定の動作制御は、前記第２の温度検出手段により収容物の温度が所定温度に達したことを検出するまで行なうようにしたことを特徴とする請求項１または２記載の厨芥処理機。
【請求項５】
制御手段は、予め設定された所定の動作制御を行った後、水分率検出手段による水分率の検出動作と、その検出した水分率に応じた所定の動作制御を繰り返し実行するよう制御することを特徴とする請求項１または２記載の厨芥処理機。
【発明の詳細な説明】
【０００１】
【発明の属する技術分野】
本発明は、処理槽内に投入された生ごみ等の厨芥を分解媒体により分解処理する構成にあって、前記処理槽内の厨芥や分解媒体等の収容物の水分率を検出し、その検出結果に応じた分解処理を行なう厨芥処理機に関する。
【０００２】
【発明が解決しようとする課題】
従来、この種の厨芥処理機は、上部が開口した処理槽の内部に、厨芥を分解処理する分解媒体として微生物（例えばバチルス菌）を含んだおが屑や木のチップ、ピートモス、パームピートなどの多孔質体と共に収容し、この投入された厨芥および分解媒体を、処理槽内に配設された撹拌体により撹拌混合する構成としている。
【０００３】
しかして、処理槽内に投入された厨芥は、分解媒体に生息した微生物により分解処理される。この分解処理に使用される微生物は、一般に好気性微生物であり、空気中の酸素の存在下によって厨芥（有機物）を分解する。また、一般に微生物は水分の存在下で有機物を分解して消化することから、分解媒体中の水分は厨芥の分解に大きな影響を与える。因みに、一般に厨芥の略８０％は水分であり、更に有機物を分解すると、水と二酸化炭素が生成される。しかし、このままでは水分が過剰で、分解媒体中に空気が入りにくくなり、分解能が停滞する。反対に分解媒体が乾燥し過ぎると、微生物が代謝する上での水分が不足し、分解し難くなる。
【０００４】
一般に、この種の厨芥処理機においては、分解媒体中の水分率が３０〜５０％程度が好ましいとされる。水分率が６０％を越えると、水分が分解媒体を覆ってしまい、酸素が微生物に十分に行き渡らなくなり、嫌気発酵を起こし、腐敗臭を発生するようになる。水分率が更に多くなると、分解媒体が泥状となり、分解媒体および厨芥を撹拌混合するための撹拌体の撹拌トルクが増え、撹拌体への負荷が大きくなる。反対に水分率が２０％より小さくなると、微生物の分解に必要な水分が不足するため、投入された厨芥はただ乾燥するだけで、ほとんど分解しないばかりか、分解媒体が粉化して、排気と共に厨芥処理機の外部へ埃として放出され、処理機周囲を汚したり、また、分解媒体に含まれる各種のかびの胞子や微生物は人体にも好ましくない。このように、分解媒体を活性化するには水分率管理が重要であることから、厨芥や分解媒体等の収容物の水分率を検出する水分センサを設け、その検出結果に基づく動作制御を行なうことで効果的に分解処理を行なうことが考えられている。
【０００５】
しかしながら、上記収容物の環境状態に応じて水分率は大きく影響し、測定誤差も発生し易い。例えば、電源投入直後や新たに厨芥を投入した直後の運転開始時においては、厨芥の温度が低かったり或は多量であったりするケースが多く、更には外気温度が低い場合など、分解媒体の活性に適した温度以下であったり或は温度に大きなばらつきがあったり不安定な状態にあることが多い。従って、斯かる状態では水分センサによる水分率の検出精度が悪下することとなり、延いては後の分解処理するに適正な動作制御が得られず、分解能が停滞したり臭気が発生するなどの不具合を生じる。
【０００６】
本発明は上記した事情に鑑みてなされたものであり、その目的は、処理槽内の厨芥や分解媒体の収容物が安定した状態のもとに、適正な水分率の検出ができ、延いては効率の良い分解処理が期待できる厨芥処理機を提供するにある。
【０００７】
【課題を解決するための手段】
上記の目的を達成するために、本発明の厨芥処理機は、第１の手段として、外郭を形成する筐体と、この筐体内に設けられ投入された厨芥を分解処理する分解媒体を収容する処理槽と、この処理槽内に収容された前記厨芥および分解媒体を撹拌混合する撹拌手段と、前記処理槽内の収容物を加熱する加熱手段と、前記処理槽内の収容物の温度を検出する温度検出手段と、前記処理槽内に連通して設けられた排気手段と、前記処理槽内の収容物の水分率を検出する水分率検出手段と、これら撹拌手段，加熱手段，排気手段および水分率検出手段を制御する制御手段とを備え、電源投入直後において、前記処理槽内の収容物の温度を前記分解媒体の活性化に適した温度となるように、前記制御手段により予め設定された所定の動作制御を行ない、その後に前記水分率検出手段による検出動作を行うようにしたことを特徴とする（請求項１の発明）。
【０００８】
斯かる構成によれば、水分率検出手段による検出動作を行う前に、処理槽内の収容物の温度を分解処理するに適した温度に近づけるように動作制御し、その後に水分率を検出するようにしたので、適正で高精度の水分率が検出でき、該水分率に応じた動作制御が行われることで分解媒体による分解処理が効率良く実行できる。
【０００９】
特に、厨芥を新たに投入して電源を投入した場合には、分解媒体はもとより収容物全体が分解処理するに適した温度、例えば３０〜５０°Ｃから大きく外れた状態にあることが多く、従ってこのような状態での水分率の検出は、精度が悪く安定した水分率を検出できず、この結果に基づく分解処理も安定した性能を得られない憂いを有するが、上記構成により分解媒体による分解処理も初期から促進され、臭気も出難い状態に維持でき安定した分解処理が期待できる。
【００１０】
また、上記の目的を達成するために、本発明の厨芥処理機は、第２の手段として、外郭を形成する筐体と、この筐体内に設けられ投入された厨芥を分解処理する分解媒体を収容する処理槽と、この処理槽に形成された厨芥投入口に開閉可能に設けられた蓋と、前記筐体内に前記厨芥投入口と連通してこの処理槽内に収容された前記厨芥および分解媒体を撹拌混合する撹拌手段と、前記処理槽内の収容物を加熱する加熱手段と、前記処理槽内の収容物の温度を検出する温度検出手段と、前記処理槽内に連通して設けられた排気手段と、前記処理槽内の収容物の水分率を検出する水分率検出手段と、これら撹拌手段，加熱手段，排気手段および水分率検出手段を制御する制御手段とを備え、前記蓋の開閉直後において、前記処理槽内の収容物の温度を前記分解媒体の活性化に適した温度となるように、前記制御手段により予め設定された所定の動作制御を行ない、その後に前記水分率検出手段による検出動作を行うようにしたことを特徴とする（請求項２の発明）。
【００１１】
斯かる構成によれば、蓋が開閉された場合には、やはり新たに厨芥が収納されたものとして、水分率検出手段による検出動作を行う前に、処理槽内の収容物の温度を分解処理するに適した温度に近づけるように動作制御し、その後に水分率を検出するようにしたので、上記請求項１で述べたと同様に適正で高精度の水分率が検出でき、該水分率に応じた動作制御にて分解媒体による分解処理が効率良く安定して実行できる。
【００１２】
そして、請求項１または２記載のものにおいて、制御手段により予め設定された所定の動作制御は、所定時間撹拌手段と排気手段および加熱手段を制御することを特徴とする（請求項３の発明）。
【００１３】
斯かる構成によれば、電源投入直後または蓋の開閉直後にあっては、撹拌，排気，加熱手段からなる動作制御が所定時間行われ、以って収容物の温度を分解媒体の活性化に適した温度に向けて速やかに移行することが可能となる。
【００１４】
また、請求項１または２記載のものにおいて、加熱手段および温度検出手段は、処理槽内の収容物を加熱する第１の加熱手段およびその温度を検出する第１の温度検出手段と、前記処理槽の壁面に取り付けられ水分率検出手段を構成する第２の加熱手段および第２の温度検出手段を具備し、制御手段により予め設定された所定の動作制御は、前記第２の温度検出手段により収容物の温度が所定温度に達したことを検出するまで行なうようにしたことを特徴とする（請求項４の発明）。
【００１５】
斯かる構成によれば、水分率検出手段を構成する第２の温度検出手段を利用して、処理槽内の収容物が所定温度以上になるまで予め設定された所定の動作制御を行なうようにしたもので、従って分解処理に適した温度条件下に確実になした上で高精度の水分率の検出ができるとともに、簡易な構成にて提供できる。
【００１６】
更に、請求項１または２記載のものにおいて、制御手段は、予め設定された所定の動作制御を行った後、水分率検出手段による水分率の検出動作と、その検出した水分率に応じた所定の動作制御を繰り返し実行するよう制御することを特徴とする（請求項５の発明）。
【００１７】
斯かる構成によれば、適正で常に安定した高精度の水分率に基づく動作制御が繰り返し実行されるので、効率の良い分解処理が進められるとともに、臭気の発生も少なく抑えられた好ましい状態に維持できる。
【００１８】
【発明の実施の形態】
以下、本発明の一実施例について図１ないし図５を参照して説明する。
まず、図３は厨芥処理機の外観斜視図にあって、外郭を形成する筐体１は、前半部の円筒形状をなす円筒枠部１ａと、後半部の角筒形状の角筒枠部１ｂとを一体に形成してなり、その下面に同形状にて宛がわれた台板２により底面を形成している。そして、上面には、そのうち主に前記角筒枠部１ｂの相当上部に配されたトップパネル３と、これに隣接し前記円筒枠部１ａの内部に組み込まれた処理槽ユニット４が有する蓋５にて覆われた構成としている。
【００１９】
具体的には、まず前記トップパネル３は、図２の縦断側面図に示すように筐体１の上端開口周縁に被着され詳細は後述する処理槽６の上端フランジ部７と一体をなし、そのフラットな面に各種の運転コースを選択操作可能な操作部８（図３参照）を備えるとともに、内方には操作部８の操作に応答して作動する各種電子部品を実装した制御基板９を設けている。
一方、前記処理槽ユニット４は、上面開口した有底円筒状でプラスチック製とする前記した処理槽６と、その内底部に回転可能に設けられた撹拌体１０と、この撹拌体１０を回転駆動する撹拌モータ１１と、前記処理槽６の上面開口を厨芥投入口６ａとし、これを開閉する円盤状をなす前記した蓋５とを具備した構成からなり、該ユニット４は処理槽６内に投入された厨芥を後述する分解媒体２０とともに撹拌混合しつつ、その厨芥を分解処理する機能を有する。
【００２０】
このうち処理槽６は、その外周側部に例えば面状ヒータからなる槽ヒータ１２を取り付け、該処理槽６の加熱、延いては処理槽６内の収容物たる分解媒体２０を加熱可能な第１の加熱手段を構成していて、斯かる構成の処理槽６は前記筐体１の主に円筒枠部１ａの内部に収容されるとともに、そのフランジ部７が円筒枠部１ａの上縁部に係合被着されている。また、この処理槽６の底部のほゞ中心部には軸受装置１３を介して、撹拌軸１４を回転可能で且つ水密に貫通状態に支承して設けている。そして、この撹拌軸１４の上端部には、前記撹拌体１０を取付け、下端部は前記撹拌モータ１１に連結されている。
【００２１】
尚、撹拌体１０は、詳細は略すが放射状に延びる３本（２本のみ図示）のアーム１５，１６と、それらの先端に設けられた翼片１７，１８を具備してなり、これらは夫々異なる形状をしていて、処理槽６内の厨芥や分解媒体２０を撹拌混合するに都合の良い形態をなした撹拌手段を構成している。また、前記撹拌モータ１１は、例えばギヤ減速機構を有するギヤドモータからなっており、その出力軸を前記撹拌軸１４に連結してなり、これにより例えば前記撹拌体１０を、約１０〔ｒｐｍ〕前後の回転速度で回転駆動する構成としている。
【００２２】
また、前記蓋５は、後部をトップパネル３にヒンジ部１９を介して回動可能に枢支されるとともに、該蓋５の中央部位に別体の透明板による透視部５ａを設けて、処理槽６の内部を外部上方から透視できるようにしている。
ところで、処理槽６内に投入され厨芥を分解処理する前記した分解媒体２０について述べるに、この分解媒体２０は、おが屑や木のチップ、ピートモスといった多孔質体に籾殻を加えたもので、これに微生物として例えば豚などの家畜の腸内菌と土壌菌とを混入した成分構成としている。
【００２３】
そして、前記槽ヒータ１２には、その一部を切り欠いた切欠部１２ａを形成していて、該切欠部１２ａに対応する処理槽６の壁面に密着して、温度センサ２１と水分センサ２２とを配設している。このうち、温度センサ２１は、例えばサーミスタを用いて処理槽６内の収容物である前記分解媒体２０の温度を検知するもので、所謂第１の温度検知手段として機能する。
一方、水分センサ２２は、処理槽６内の分解媒体２０の水分率を検知するもので、所謂水分率検知手段として機能し、斯かる水分センサ２２は、図４に概略構成を示すように熱伝導に優れた金属製の伝導板２３に、温度検知用のサーミスタ２４と２個の水分センサ用ヒータ２５とを具備した構成からなり、この水分センサ用ヒータ２５は、処理槽６を介して該処理槽６内部の収容物である分解媒体２０を加熱するもので、所謂第２の加熱手段を構成するとともに、前記サーミスタ２４は、処理槽６の内部の分解媒体２０の温度を検出する所謂第２の温度検出手段を構成する。尚、斯かる水分センサ２２を用いた分解媒体２０中の水分率を求める手段については、別途述べる。
【００２４】
そして、筐体１内には図２に示すように処理槽６の後方に位置して、排気通路２６を設けている。この排気通路２６は、処理槽６の上部から筐体１の底部（前記台板２の内部）に至るダクト構成とするもので、処理槽６の上部の連通口２７には、第１のフィルタ２８を設けており、これは分解媒体２０など大きな異物が、処理槽６内から排出されるのを抑制するに足るメッシュ構成をなしている。
【００２５】
一方、前記台板２の内部から底面に開口する複数の小孔からなる排気口２９の近傍にあっては、これと斜めに対向した第２のフィルタ３０が設けられており、この第２のフィルタ３０は、分解媒体２０の撹拌破砕に伴い発生する細かい埃を捕獲可能とし、前記第１のフィルタ２８よりメッシュの細かい構成とするとともに、詳細な説明は省略するが抗菌および消臭性能を備えた不職布から構成されている。
【００２６】
このような、排気通路２６の上部には排気ファン３１を設けるとともに、中間部位には脱臭装置３２を設けている。この脱臭装置３２は、脱臭触媒（例えばプラチナ触媒）３３と、これを加熱し活性化させる例えばシーズ線からなる触媒ヒータ３４とにより構成している。尚、この脱臭装置３２の触媒ヒータ３４は周囲雰囲気を約２００〜３００〔℃〕に加熱するもので、雑菌を死滅させる殺菌手段としての機能をも併せ有する。
【００２７】
そして、図５は厨芥処理機の電気的構成を示すブロック図で、該図面に示す制御装置３５は、本実施例の厨芥処理機の運転全般を制御する制御手段として機能するもので、例えばマイクロコンピュータからなっており、筐体１の角筒枠部１ｂの内側に配設されている。
この制御装置３５には、前記操作部８からの図示しない運転コース等の選択操作信号が入力されるとともに、前記水分センサ２２から水分率検出信号が入力され、更には、温度センサ２１から温度検出信号が入力され、また前記蓋５の開閉を検知するように設けた蓋スイッチ３６からは蓋開閉検知信号が入力されるようにしている。
しかるに、制御装置３５は、それらの入力並びに予め記憶された制御プログラムに基づいて、前記槽ヒータ１２、撹拌モータ１１、排気ファン３１、脱臭装置３２の触媒ヒータ３４、および水分センサ用ヒータ２５を、夫々駆動するための駆動回路３７に駆動制御信号を与えるようにしている。
【００２８】
ここで、前記した水分センサ２２による水分率を検出する手段の一例につき説明するに、制御装置３５は、まず水分センサ用ヒータ２５に通電し、処理槽６内の分解媒体２０を加熱し、所定温度まで加熱したら（サーミスタ２４で温度検出）該ヒータ２５を断電する。そして、所定時間後の低下した温度をサーミスタ２４により検出し、以って断電開始時の温度と所定時間経過後の温度とを比較し、その温度差に基づき予め用意されたテーブルを使用して水分率を換算して求めている。
【００２９】
このような所謂水分率検出手段によれば、例えば分解媒体２０が乾燥気味である場合には、熱容量が小さいために温度低下は大きくなり、逆に湿り度合が大きい場合には、熱容量が大きいために温度低下は鈍くなる傾向を呈する。しかるに、制御装置３５は、水分率が３０％〜５０％の範囲内であることを検出した場合には、分解媒体２０の水分率が適正範囲であるとして、槽ヒータ１２や撹拌モータ１１（撹拌体１０）および排気ファン３１を通常の動作制御を行なう。
【００３０】
これに対し、求めた水分率が、例えば５０％を超える場合には、分解媒体２０中の水分が多過ぎると判断し水分の放出を促進させる動作制御が行われる。即ち、槽ヒータ１２や撹拌モータ１１への通電時間を多くして、加熱作用および撹拌作用を増大し、更には排気ファン３１による排気量を増加させることにより、分解媒体２０中の水分の放出を促進させる。
また、水分率が３０％以下の乾燥気味の場合には、上記とは逆に水分の放出を抑えるべく、上記加熱作用や撹拌作用、更には排気量も少なくするよう制御するものである。
【００３１】
次に、上記構成の作用を説明する。
通常、厨芥を処理する場合には、予め処理槽６内に、有機物を分解する微生物を含んだ分解媒体２０を収容しておく。その上で、厨芥を、蓋５を開放して厨芥投入口６ａより処理槽６内に投入し、再び蓋５を閉鎖する。この状態で、厨芥処理機の図示しない電源プラグを給電コンセントに差込み、接続することにより電源を投入する。
【００３２】
しかして、以下図１のフローチャートに従って説明すると、今、操作部８では図示しないが自動運転コースが選択設定されているとした場合、制御装置３５が作動開始（スタート）し、最初のステップＳ１として、例えば１０秒間の「ウエイト」（待つ）を行なう。これは、例えば図示しないパイロットランプが点灯する以外は、撹拌モータ１１等の駆動機構部の動作は停止したままとするもので、上記した分解媒体２０を収容しない状態で電源投入されて、いきなり撹拌モータ１１（撹拌体１０）が回転したりすることを防止するために、確認用に設けたステップである。
【００３３】
次いで、ステップＳ２に移行し撹拌モータ１１および排気ファン３１が駆動され、撹拌体１０により処理槽６内の収容物たる厨芥と分解媒体２０とが撹拌混合され、そして、これまでの動作が１分間継続されたか判断される（ステップＳ３）。このステップＳ３で、１分経過したと判断「ＹＥＳ」されると撹拌モータ１１のみ停止（ＯＦＦ）させ（ステップＳ４）、新たに第１の加熱手段である槽ヒータ１２が通断電制御（ＯＮ／ＯＦＦ制御）される（ステップＳ５）。
【００３４】
このステップＳ５では、第１の温度検出手段である温度センサ２１からの温度検出信号を受けて、制御装置３５は所定温度、例えば４０°Ｃ±５°Ｃの範囲内にあるように槽ヒータ１２をＯＮ／ＯＦＦ制御する。そして、ここまで（ステップＳ１〜ステップ５）の動作を１時間継続させ、その時間経過をステップＳ６にて判断する。
一般に、処理槽６内の厨芥を分解処理する分解媒体２０中に生息する微生物の適正な温度条件は、この種の微生物にとって３０〜６０℃が好ましい温度とされていて、因みに２０℃以下になると、微生物の活動が低下して厨芥の分解処理が停滞してしまうことが知られている。
【００３５】
しかるに、上記制御装置３５は、ステップＳ６までの動作制御を行い処理槽６内の収容物の温度を、分解に適する３０°Ｃ〜５０°Ｃに仕向けるよう制御される。そして、この状態に至り、前述したようにして水分センサ２２により水分率が検出される（ステップＳ７）。このステップＳ７の状態における処理槽６内の厨芥や分解媒体２０の収容物は、投入時の不安定な状態とは異なり上記した撹拌混合，排気，加熱からなる動作制御を経て所謂適正な活性化状態に収容されており、従って安定した正確な水分率が検出できる。
【００３６】
この結果、次のステップＳ８では、この水分率の結果（多少）に応じた撹拌モータ１１や排気ファン３１が回転制御され、また槽ヒータ１２による加熱制御が行われる。これにより微生物を含む分解媒体２０は、好ましい活性化状態に維持されるとともに、処理槽６内の厨芥は、撹拌体１０の回転により撹拌分散され、また分解媒体２０と混合されて接触し、分解媒体２０中に生息する微生物によって分解される。そして、このような動作制御が２時間経過したか判断され（ステップＳ９）、以後２時間経過毎に先のステップＳ７にリターンして改めて水分率の検出とともに該結果に応じた動作制御が繰り返し実行される。
【００３７】
上記した実施例によれば、次のような効果を得ることができる。
即ち、処理槽６内に厨芥を投入し図示しない電源を投入した直後にあっては、従来の課題の項でも既述したように通常厨芥の温度が低く、また寒冷な室外に設置されている場合もあって、微生物を含む分解媒体２０自体も好ましい活性温度と大きく外れることが多い。従って、このような状態で処理槽６内の収容物の水分率を検出しても、分解媒体２０は厨芥や外気温度の影響を受けて温度が安定しないため検出精度は悪く、分解処理に好適する動作制御は望めない。
【００３８】
しかるに、本実施例においては、水分センサ２２により水分率を検出する前に、予め設定された撹拌，排気，加熱手段からなる動作制御を所定時間行なうようにしている。具体的には、電源投入直後にあっても、撹拌モータ１１（撹拌体１０）および排気ファン３１の回転駆動により収容物は撹拌混合され、処理槽６内の厨芥は、撹拌体１０の回転により撹拌分散され、分解媒体２０と混合されて効果的に接触する状態を得る。
【００３９】
また、その後に槽ヒータ１２のＯＮ／ＯＦＦ制御により当該分解媒体２０が活性化する好ましい温度３０〜５０°Ｃに近づけるよう制御され、且つ不要な水分は排気通路２６から排出される。以って、厨芥は投入後の初期から分解媒体２０中に生息する微生物によって好ましい条件下のもとに分解処理が開始され、臭気も出難い状態に維持できて少なく抑えることができる。
【００４０】
従って、斯かる動作制御を行なった後に水分率の検出を行なうので、水分センサ２２が外気温度等に影響を受けることなく安定した検出精度が得られ、実状に即した検出結果を得るとともに、これに応じた適正な動作制御にて効率良く分解処理が促進できる。
特に本実施例では、図１に開示したようにステップＳ１（実質的にはステップＳ２）〜ステップＳ５までの動作制御を、所定時間（ステップＳ６に示す１時間に相当）継続する手段としたことにより、分解媒体２０を上記した好ましい温度に確実に近づけるように制御できる。
【００４１】
また、この水分率の検出動作は、水分センサ用ヒータ２５による加熱後の低下する温度差をサーミスタ２４により検出し、これに基づき水分率を求めるようにしているが、このように収容物の温度を検出する場合、撹拌モータ１１はＯＦＦ（ステップＳ４）として撹拌体１０による撹拌動作は停止状態にしてあるので、収容物の温度変化が抑えられ頻繁に大きく変動する影響から回避できて、安定した温度を検出する場合に好ましい制御が行なえる。
【００４２】
そして、上記水分率検出後の所定の動作制御を行なった以後は、所定時間（ステップＳ９に示す２時間に相当）経過毎に改めて水分率を検出し、その結果に応じた所定の動作制御が繰り返し実行されるので、常に厨芥や分解媒体２０の収容状態に合わせた分解処理が効率良く継続して実行できる。
【００４３】
尚、上記実施例では、電源投入直後における使用形態につき述べたが、例えば運転中に蓋５を開閉した場合にも上記同様に対処可能としている。
即ち、運転中に蓋５を開放して中断し、新たな厨芥を厨芥投入口６ａから処理槽６内に投入した後、再び蓋５を閉鎖した場合にあっては、蓋スイッチ３６（図５のみ示す）からの蓋開閉検知信号を受けて、制御装置３５は、図１に開示したフローチャートと同様に運転を開始（スタート）し、予め設定された所定の動作制御を行ない、その後に水分率の検出を行なうようにしている。従って、上記電源投入直後の状態と同様に蓋５の開閉操作が行われたときも、適正な水分率の結果に応じた厨芥の分解処理が実行される。
【００４４】
（変形例）
上記実施例に対し、図６は、本発明の変形例を示す図１相当図である。
以下、上記実施例と同一部分には同一符号を付して説明を省略し、異なる点についてのみ説明する。
このものも、上記実施例と同様に水分率を検出する動作以前に、処理槽６内の収容物を安定した状態になすべく動作制御に関するもので、上記実施例とはステップＳ６においてのみ異なる。
【００４５】
即ち、上記実施例のステップＳ６にあっては、これまでの撹拌や加熱手段等の動作制御を所定時間（この例では１時間）行なう制御手段であったのに対し、これは、それに置き換えステップＳ１０として、水分センサ２２を構成するサーミスタ２４を利用して処理槽６内の収容物の温度を検出し、該サーミスタ２４が所定温度（例えば分解媒体２０の好ましい温度の４０°Ｃ）以上を検出するまで上記所定の動作制御を行うようにしたものにあって、その後に同じくステップＳ７にて水分率の検出動作が行なうようにしたものである。
【００４６】
斯かる構成によれば、収容物の温度が４０°Ｃ以上となったことを条件に、その後で水分率の検出動作を行なうので、微生物を有する分解媒体２０を好ましいい温度範囲３０〜５０°Ｃに近づけるのに一層効果的に制御可能となる。そして、以後実行される水分率に応じた動作制御のもとに効率良く厨芥の分解処理ができることは勿論のこと、前記したような電源投入時、および蓋５の開閉操作時のいずれにあっても上記実施例と同様の作用効果が期待できる。また、水分センサ２２が有するサーミスタ２４を利用するので、新たに部品増を招くことなく簡易に提供できる。
【００４７】
尚、本発明は上記し且つ各実施例の示したものに限らず、例えば水分センサ２２は、処理槽６内の収容物の加熱後の低下する温度差を利用して水分率を求めるようにしたが、逆に加熱時の立上がり時の温度を利用しても良いし、また所定温度に至るまでの時間を測定し、該時間に基づき水分率を換算して求めるようにすることも可能である。
その他、第１の加熱手段たる槽ヒータ１２を、水分検出用の加熱手段としても利用するとともに、第１の温度検出手段である温度センサ２１を、水分検出用の温度検出手段として利用しても良いなど、実施に際し具体的に種々変更して実施できるものである。
【００４８】
【発明の効果】
以上述べたことから明らかなように、本発明の厨芥処理機は、処理槽内に新たに厨芥を投入して電源を投入した直後や、蓋の開閉が行われた直後において、まず処理槽内の厨芥や分解媒体等の収容物に対して、分解処理するに適した温度状態に近づけるべく予め設定された所定の動作制御をなし、その後に水分率検出手段による検出動作を行なう構成とした。
この結果、新たな厨芥の投入により処理槽の内部温度が、分解媒体による分解処理するに適した温度から大きく外れた状態から運転開始されても、上記動作制御により分解媒体が活性化する温度状態に仕向けた後に水分率を検出するようにしたので、適正で高精度の水分率が検出でき、該水分率に応じた動作制御にて分解媒体による分解処理が効率良く実行でき、臭気の発生も極力抑え得る厨芥処理機を提供できる。
【図面の簡単な説明】
【図１】本発明の一実施例を示すフローチャート
【図２】厨芥処理機の縦断側面図
【図３】外観斜視図
【図４】水分センサの概略構成図
【図５】電気的構成図
【図６】本発明の変形例を示す図１相当図
【符号の説明】
図面中、１は筐体、４は処理槽ユニット、５は蓋、６は処理槽、６ａは厨芥投入口、１０は撹拌体（撹拌手段）、１１は撹拌モータ、１２は槽ヒータ（第１の加熱手段）、２０は分解媒体、２１は温度センサ（第１の温度検出手段）、２２は水分センサ（水分率検出手段）、２４はサーミスタ（第２の温度検出手段）、２５は水分センサ用ヒータ（第２の加熱手段）、２６は排気通路、３１は排気ファン（排気手段）、３２は脱臭装置、および３５は制御装置（制御手段）を示す。
【図１】
0003696133.tif 000002
【図２】
0003696133.tif 000003
【図３】
0003696133.tif 000004
【図４】
0003696133.tif 000005
【図５】
0003696133.tif 000006
【図６】
0003696133.tif 000007